【手続補正書】
【提出日】平成25年10月17日(2013.10.17)
【手続補正１】
【補正対象書類名】特許請求の範囲
【補正対象項目名】全文
【補正方法】変更
【補正の内容】
【特許請求の範囲】
【請求項１】
左右一対の走行車輪１０と後側走行車輪１２とを設けたフレーム２の前側に、左右一対の縦軸回転の掃除用縦軸ブラシ２１を設け、該掃除用縦軸ブラシ２１の後方に回収口部３２により前側開口させた集塵ボックス３１を設け、前記左右の掃除用縦軸ブラシ２１は平面視夫々円形形状に形成し、互いに左右方向の中間部分で接触する接触部３０を形成し、前記各掃除用縦軸ブラシ２１のブラシ縦軸２２の傘歯車２７には前記本体１の前側に設けた前側回転軸１３に設けた傘歯車２８を噛み合わせ、左右の掃除用縦軸ブラシ２１を互いに反対回転させる構成とし、前記前側回転軸１３の左右両側には従動歯車１４を夫々設け、各従動歯車１４には前記走行車輪１０の車軸１１に設けた出力歯車１５との間にチェン１６を掛け回し、前記出力歯車１５には走行車輪１０の回転出力するが、掃除用縦軸ブラシ２１からの逆回転は伝達しないワンウエイクラッチ１７を設けた手動式掃除機。
【請求項２】
請求項１において、前記左右の掃除用縦軸ブラシ２１は、前記ブラシ縦軸２２の下部に設け、前記各掃除用縦軸ブラシ２１のブラシ縦軸２２の傘歯車２７は前記ブラシ縦軸２２の上部に設け、前記前側回転軸１３は、前記掃除用縦軸ブラシ２１の基部より上方に位置させ、前記フレーム２には前記掃除用縦軸ブラシ２１の基部より上方に位置する前側開口部５５を形成したカバー３を設け、前記接触部３０の下方には床上のゴミを前記集塵ボックス３１の回収口部３２に誘導する前下がり傾斜の誘導体４０を設け、前記集塵ボックス３１の底板３３の前端には前方に至るに従い高く傾斜させた前側起立部４６を設け、前記集塵ボックス３１の側板３４には、掃除用縦軸ブラシ２１が通過しうる切欠部５０を設け、該切欠部５０を通過する前記掃除用縦軸ブラシ２１の後部は前記集塵ボックス３１の前側起立部４６を越えて後側の底板３３の上方で回転する構成とした手動式掃除機。
【請求項３】
請求項１において、前記左右の掃除用縦軸ブラシ２１は、前記ブラシ縦軸２２の下部に設け、前記各掃除用縦軸ブラシ２１のブラシ縦軸２２の傘歯車２７は前記ブラシ縦軸２２の上部に設け、前記前側回転軸１３は、前記掃除用縦軸ブラシ２１の基部より上方に位置させ、前記フレーム２には前記掃除用縦軸ブラシ２１の基部より上方に位置する前側開口部５５を形成したカバー３を設けた手動式掃除機。
【請求項４】
請求項１において、前記接触部３０の下方には床上のゴミを前記集塵ボックス３１の回収口部３２に誘導する前下がり傾斜の誘導体４０を設けた手動式掃除機。
【請求項５】
請求項４において、前記集塵ボックス３１の底板３３の前端には前方に至るに従い高く傾斜させた前側起立部４６を設け、前記集塵ボックス３１の側板３４には、掃除用縦軸ブラシ２１が通過しうる切欠部５０を設け、該切欠部５０を通過する前記掃除用縦軸ブラシ２１の後部は前記集塵ボックス３１の前側起立部４６を越えて後側の底板３３の上方で回転する構成とした手動式掃除機。
【手続補正２】
【補正対象書類名】明細書
【補正対象項目名】０００５
【補正方法】変更
【補正の内容】
【０００５】
本発明は、左右一対の走行車輪１０と後側走行車輪１２とを設けたフレーム２の前側に、左右一対の縦軸回転の掃除用縦軸ブラシ２１を設け、該掃除用縦軸ブラシ２１の後方に回収口部３２により前側開口させた集塵ボックス３１を設け、前記左右の掃除用縦軸ブラシ２１は平面視夫々円形形状に形成し、互いに左右方向の中間部分で接触する接触部３０を形成し、前記各掃除用縦軸ブラシ２１のブラシ縦軸２２の傘歯車２７には前記本体１の前側に設けた前側回転軸１３に設けた傘歯車２８を噛み合わせ、左右の掃除用縦軸ブラシ２１を互いに反対回転させる構成とし、前記前側回転軸１３の左右両側には従動歯車１４を夫々設け、各従動歯車１４には前記走行車輪１０の車軸１１に設けた出力歯車１５との間にチェン１６を掛け回し、前記出力歯車１５には走行車輪１０の回転出力するが、掃除用縦軸ブラシ２１からの逆回転は伝達しないワンウエイクラッチ１７を設けた手動式掃除機としたものである。
本発明は、前記左右の掃除用縦軸ブラシ２１は、前記ブラシ縦軸２２の下部に設け、前記各掃除用縦軸ブラシ２１のブラシ縦軸２２の傘歯車２７は前記ブラシ縦軸２２の上部に設け、前記前側回転軸１３は、前記掃除用縦軸ブラシ２１の基部より上方に位置させ、前記フレーム２には前記掃除用縦軸ブラシ２１の基部より上方に位置する前側開口部５５を形成したカバー３を設け、前記接触部３０の下方には床上のゴミを前記集塵ボックス３１の回収口部３２に誘導する前下がり傾斜の誘導体４０を設け、前記集塵ボックス３１の底板３３の前端には前方に至るに従い高く傾斜させた前側起立部４６を設け、前記集塵ボックス３１の側板３４には、掃除用縦軸ブラシ２１が通過しうる切欠部５０を設け、該切欠部５０を通過する前記掃除用縦軸ブラシ２１の後部は前記集塵ボックス３１の前側起立部４６を越えて後側の底板３３の上方で回転する構成とした手動式掃除機としたものである。
本発明は、前記左右の掃除用縦軸ブラシ２１は、前記ブラシ縦軸２２の下部に設け、前記各掃除用縦軸ブラシ２１のブラシ縦軸２２の傘歯車２７は前記ブラシ縦軸２２の上部に設け、前記前側回転軸１３は、前記掃除用縦軸ブラシ２１の基部より上方に位置させ、前記フレーム２には前記掃除用縦軸ブラシ２１の基部より上方に位置する前側開口部５５を形成したカバー３を設けた手動式掃除機としたものである。
本発明は、前記接触部３０の下方には床上のゴミを前記集塵ボックス３１の回収口部３２に誘導する前下がり傾斜の誘導体４０を設けた手動式掃除機としたものである。
本発明は、前記集塵ボックス３１の底板３３の前端には前方に至るに従い高く傾斜させた前側起立部４６を設け、前記集塵ボックス３１の側板３４には、掃除用縦軸ブラシ２１が通過しうる切欠部５０を設け、該切欠部５０を通過する前記掃除用縦軸ブラシ２１の後部は前記集塵ボックス３１の前側起立部４６を越えて後側の底板３３の上方で回転する構成とした手動式掃除機としたものである。
【手続補正３】
【補正対象書類名】明細書
【補正対象項目名】０００６
【補正方法】変更
【補正の内容】
【０００６】
請求項１および請求項２の発明では、左右一対の縦軸回転の掃除用縦軸ブラシ２１の後方に前側開口の集塵ボックス３１を設けているので、空コップや空き缶等の嵩のあるゴミであっても、左右の掃除用縦軸ブラシ２１間を通過させることができ、集塵ボックス３１に回収でき、回収効率を向上させ、操作性作業性を向上させられる。
また、左右の掃除用縦軸ブラシ２１は互いの左右の中間部分で接触する接触部３０を形成しているので、掃除用縦軸ブラシ２１の掃き入れ作用を向上させて、空コップや空き缶等の嵩のあるゴミの回収効率を向上させることができる。
また、ワンウエイクラッチ１７を設けているので、各掃除用縦軸ブラシ２１は確実に回転させ、本体１の直進走行性能を向上させることができ、しかも、、左右旋回するとき、左右の走行車輪１０に回転差が生じても旋回内側の出力歯車１５が空転することで回転差を吸収し、円滑に旋回させることができる。
請求項３の発明では、左右の掃除用縦軸ブラシ２１に回転伝達する前側回転軸１３および本体１のカバー３の前側開口部５５を、掃除用縦軸ブラシ２１の基部より上方に位置させているので、一層、空コップや空き缶等の嵩のあるゴミの回収効率を向上させることができる。
請求項４の発明では、左右一対の掃除用縦軸ブラシ２１の接触部３０と相俟ってゴミの回収効率を向上させることができる。
請求項５の発明では、切欠部５０により掃除用縦軸ブラシ２１の後部が集塵ボックス３１の前側起立部４６を越えて底板３３上を回転するので、切欠部５０の存在による掃除用縦軸ブラシ２１の配置と後側誘導体４１との相乗効果により、一層、回収効率を向上させることができる。